(57)【要約】【課題】パケット出力までの時間を短縮することができるようにする。【解決手段】受信装置は、複数のパケットからなる多重化ストリームを処理して得られる送信信号を受信し、送信信号の伝送を制御するための伝送制御情報を解析し、伝送制御情報の解析結果に基づいて、送信信号を復号し、送信信号を復号して得られる多重化ストリームを解析し、多重化ストリームからパケットを分割するためのパケット分割情報であって、伝送制御情報の解析結果及び多重化ストリームの解析結果の少なくとも一方に応じたパケット分割情報を設定し、設定されたパケット分割情報に基づいて、多重化ストリームを、パケットに分割する。本技術は、例えば、デジタル放送の受信機に適用することができる。【選択図】図７
2017175261.tif 000002
【特許請求の範囲】
【請求項１】
複数のパケットからなる多重化ストリームを処理して得られる送信信号を受信する受信部と、
前記送信信号の伝送を制御するための伝送制御情報を解析する伝送制御情報解析部と、
前記伝送制御情報の解析結果に基づいて、前記送信信号を復号する復号部と、
前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報を設定するパケット情報解析部と、
設定された前記パケット分割情報に基づいて、前記多重化ストリームを、前記パケットに分割するパケット処理部と
を備える受信装置。
【請求項２】
前記伝送制御情報解析部は、前記伝送制御情報のうち、前記送信信号を復号するための情報として、あらかじめ設定された既知の情報を用いる
請求項１に記載の受信装置。
【請求項３】
前記パケット情報解析部は、前記パケット分割情報として、前記伝送制御情報の解析結果から得られる前記パケットの境界情報である第１のパケット境界情報と、前記多重化ストリームの解析結果から得られる前記パケットの境界情報である第２のパケット境界情報とを動的に切り替える
請求項２に記載の受信装置。
【請求項４】
前記パケット情報解析部は、
前記伝送制御情報の解析結果から前記第１のパケット境界情報が得られない場合、前記第２のパケット境界情報のみを、前記パケット分割情報として設定し、
前記伝送制御情報の解析結果から前記第１のパケット境界情報が得られる場合、前記第１のパケット境界情報を、前記パケット分割情報として設定する
請求項３に記載の受信装置。
【請求項５】
前記パケットは、誤り訂正の単位であるブロック内に配置され、
前記ブロックは、複数集まってフレームを構成し、
前記フレームは、他のフレーム用の前記伝送制御情報を含み、
前記パケット情報解析部は、
他のフレームから取得された前記伝送制御情報を適用すべきフレームが処理対象となるまで、前記第２のパケット境界情報のみを、前記パケット分割情報として設定し、
前記他のフレームから取得された前記伝送制御情報を適用すべきフレームが処理対象となったとき、前記第１のパケット境界情報を、前記パケット分割情報として設定する
請求項４に記載の受信装置。
【請求項６】
前記第１のパケット境界情報は、前記他のフレームから取得される前記伝送制御情報に含まれ、
前記第２のパケット境界情報は、処理対象のフレームを構成する複数のブロックのヘッダ及び当該ブロック内に配置されるパケットのヘッダに含まれる
請求項５に記載の受信装置。
【請求項７】
前記第１のパケット境界情報は、前記ブロック内に配置されるパケットのうち、先頭のパケットと、最後のパケットの位置を示す情報である
請求項６に記載の受信装置。
【請求項８】
前記ブロックのヘッダに含まれる前記第２のパケット境界情報は、前記ブロック内に配置されるパケットのうち、先頭のパケットの位置を示す情報であり、
前記パケットのヘッダに含まれる前記第２のパケット境界情報は、当該パケットのデータ長である
請求項６に記載の受信装置。
【請求項９】
前記パケットは、可変長のパケットである
請求項１に記載の受信装置。
【請求項１０】
受信装置のデータ処理方法において、
前記受信装置が、
複数のパケットからなる多重化ストリームを処理して得られる送信信号を受信し、
前記送信信号の伝送を制御するための伝送制御情報を解析し、
前記伝送制御情報の解析結果に基づいて、前記送信信号を復号し、
前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報を設定し、
設定された前記パケット分割情報に基づいて、前記多重化ストリームを、前記パケットに分割する
ステップを含むデータ処理方法。
【請求項１１】
送信装置と受信装置からなる送受信システムにおいて、
前記送信装置は、
複数のパケットからなる多重化ストリームを処理して得られる送信信号を送信する送信部を備え、
前記受信装置は、
前記送信装置から送信されてくる前記送信信号を受信する受信部と、
前記送信信号の伝送を制御するための伝送制御情報を解析する伝送制御情報解析部と、
前記伝送制御情報の解析結果に基づいて、前記送信信号を復号する復号部と、
前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報を設定するパケット情報解析部と、
設定された前記パケット分割情報に基づいて、前記多重化ストリームを、前記パケットに分割するパケット処理部と
を備える
送受信システム。
【発明の詳細な説明】
【技術分野】
【０００１】
本技術は、受信装置、データ処理方法、及び、送受信システムに関し、特に、パケット出力までの時間を短縮することができるようにした受信装置、データ処理方法、及び、送受信システムに関する。
【背景技術】
【０００２】
デジタル放送では、映像や音声のデータは、パケット単位に分割され、多重化されて伝送される。このようなパケットの一分類として、固定長パケットと可変長パケットがある。可変長パケットを用いた多重化伝送では、受信側で、パケット分割情報を用いて、多重化ストリームを、可変長パケットに分割するのが一般的である。
【０００３】
また、本出願人は、伝送制御情報をあらかじめ保持しておいて、受信チャネルの切り替え時には、あらかじめ保持しておいた伝送制御情報をプリセット情報として用いることで、受信開始から映像や音声が出力されるまでの初期立ち上がり時間を短縮する手法を既に提案している（例えば、特許文献１参照）。
【先行技術文献】
【特許文献】
【０００４】
【特許文献１】特開２００１−２９２１２１号公報
【発明の概要】
【発明が解決しようとする課題】
【０００５】
上述した特許文献１に開示した手法は、伝送制御情報のうち、送信信号の復号に必要な情報（例えば変調方式や誤り訂正符号化率）など、１つの受信チャネルにおいて変化することが少ないと考えられる情報には有効であるが、パケット分割情報のような、あらかじめ予測が難しい情報（フレームごとに変化する情報）を、プリセット情報として保持しておくことは困難である。
【０００６】
そのため、伝送制御情報としてパケット分割情報が含まれる場合であっても、パケットを出力するまでの時間を短縮するための提案が要請されていた。
【０００７】
本技術はこのような状況に鑑みてなされたものであり、パケット出力までの時間を短縮することができるようにするものである。
【課題を解決するための手段】
【０００８】
本技術の第１の側面の受信装置は、複数のパケットからなる多重化ストリームを処理して得られる送信信号を受信する受信部と、前記送信信号の伝送を制御するための伝送制御情報を解析する伝送制御情報解析部と、前記伝送制御情報の解析結果に基づいて、前記送信信号を復号する復号部と、前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報を設定するパケット情報解析部と、設定された前記パケット分割情報に基づいて、前記多重化ストリームを、前記パケットに分割するパケット処理部とを備える受信装置である。
【０００９】
本技術の第１の側面の受信装置は、独立した装置であってもよいし、１つの装置を構成している内部ブロックであってもよい。また、本技術の第１の側面のデータ処理方法は、上述した本技術の第１の側面の受信装置に対応するデータ処理方法である。
【００１０】
本技術の第１の側面の受信装置、及び、データ処理方法においては、複数のパケットからなる多重化ストリームを処理して得られる送信信号が受信され、前記送信信号の伝送を制御するための伝送制御情報が解析され、前記伝送制御情報の解析結果に基づいて、前記送信信号が復号され、前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報が設定され、設定された前記パケット分割情報に基づいて、前記多重化ストリームが、前記パケットに分割される。
【００１１】
本技術の第２の側面の送受信システムは、送信装置と受信装置からなる送受信システムにおいて、前記送信装置は、複数のパケットからなる多重化ストリームを処理して得られる送信信号を送信する送信部を備え、前記受信装置は、前記送信装置から送信されてくる前記送信信号を受信する受信部と、前記送信信号の伝送を制御するための伝送制御情報を解析する伝送制御情報解析部と、前記伝送制御情報の解析結果に基づいて、前記送信信号を復号する復号部と、前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報を設定するパケット情報解析部と、設定された前記パケット分割情報に基づいて、前記多重化ストリームを、前記パケットに分割するパケット処理部とを備える送受信システムである。
【００１２】
本技術の第２の側面の送受信システムにおいては、送信装置によって、複数のパケットからなる多重化ストリームを処理して得られる送信信号が送信され、受信装置によって、前記送信装置から送信されてくる前記送信信号が受信され、前記送信信号の伝送を制御するための伝送制御情報が解析され、前記伝送制御情報の解析結果に基づいて、前記送信信号が復号され、前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報が設定され、設定された前記パケット分割情報に基づいて、前記多重化ストリームが、前記パケットに分割される。
【発明の効果】
【００１３】
本技術の第１の側面、及び、第２の側面によれば、パケット出力までの時間を短縮することができる。
【００１４】
なお、ここに記載された効果は必ずしも限定されるものではなく、本開示中に記載されたいずれかの効果であってもよい。
【図面の簡単な説明】
【００１５】
【図１】伝送ストリームと、ブロックと、パケットの相関を示す図である。
【図２】高度広帯域衛星デジタル放送の伝送方式のパケットの構成例を示す図である。
【図３】TMCC情報の対象フレームを説明する図である。
【図４】現状の受信装置の構成を示す図である。
【図５】現状のパラメータ設定処理の流れを説明するフローチャートである。
【図６】本技術を適用した伝送システムの一実施の形態の構成を示す図である。
【図７】受信装置の構成例を示す図である。
【図８】TMCC情報取得後、２フレーム経過前の受信装置の構成例を示す図である。
【図９】TMCC情報取得後、２フレーム経過後の受信装置の構成例を示す図である。
【図１０】本技術の受信処理の流れを説明するフローチャートである。
【図１１】本技術のパラメータ設定処理の流れを説明するフローチャートである。
【図１２】TMCC情報取得後、２フレーム経過前のTLVパケット境界情報の設定例を示す図である。
【図１３】TMCC情報取得後、２フレーム経過後のTLVパケット境界情報の設定例を示す図である。
【図１４】コンピュータの構成例を示す図である。
【発明を実施するための形態】
【００１６】
以下、図面を参照しながら本技術の実施の形態について説明する。なお、説明は以下の順序で行うものとする。
【００１７】
１．現状の規格の概要
２．本技術の構成
（１）システム構成
（２）受信側の処理の流れ
３．変形例
４．コンピュータの構成
【００１８】
＜１．現状の規格の概要＞
【００１９】
（パケットの相関図）
図１は、伝送ストリームと、ブロックと、パケットの相関を示す図である。
【００２０】
デジタル放送では、映像や音声のデータは、パケット単位に分割され、多重化されて伝送される。このような多重化伝送では、送信側の送信装置において、伝送ストリームとして送出される信号に対し、誤り訂正符号化の処理が行われているので、受信側の受信装置では、伝送ストリームとして送出された信号に対し、誤り訂正復号化の処理を行うことになる。
【００２１】
一般に、誤り訂正符号化や誤り訂正復号化の単位（以下、「ブロック」という）と、パケットの単位とは、一致しておらず、パケットが複数のブロックに跨がったり、１つのブロックに複数のパケットが存在したりする。ただし、パケットの分類としては、固定長パケットと可変長パケットがあるが、このブロック内のパケットは、可変長のパケットとされる。
【００２２】
ここで、伝送ストリームにおいては、複数のブロックによりフレームが構成され、フレーム単位でデータが伝送される。例えば、図１において、伝送ストリームは、ブロックＭ乃至Ｍ＋５等の複数のブロックにより構成されるが、ブロックＭ＋１に注目すれば、パケットＮのほかに、その前後のパケットＮ−１，Ｎ＋１の一部が含まれている。また、ブロックＭ＋２に注目すれば、パケットＮ＋２，Ｎ＋３のほかに、その前後のパケットＮ＋１，Ｎ＋４が含まれている。
【００２３】
このように、例えば、パケットＮ＋１は、ブロックＭ＋１とブロックＭ＋２を跨がって配置され、ブロックＭ＋２には、パケットＮ＋２とパケットＮ＋３などの複数のパケットが存在しているなど、ブロックとパケットの単位が不一致となっている。
【００２４】
また、ブロック内に配置されるパケットは、ヘッダ部とデータ部から構成されるのが一般的である。ヘッダ部には、各種のパラメータが格納される。また、データ部には、映像や音声のデータなどが格納される。
【００２５】
パケットのヘッダ部に格納されるパラメータとしては、例えば、当該パケット（のデータ部）のデータ長がある。また、伝送ストリームでは、各種のパラメータを含むシステム制御情報が伝送される。受信装置では、パケットのヘッダ部から得られるデータ長や、システム制御情報に含まれるパケットの境界（切れ目）を示す情報などを用いて、ブロックから抽出されるデータを、パケット単位に整形して出力する。
【００２６】
例えば、日本では、高度広帯域衛星デジタル放送の伝送方式（ARIB STD-B44）が策定されているが、この伝送方式では、可変長のパケットとして、TLV(Type Length Value)パケットが用いられ、システム制御情報として、伝送制御情報（以下、「TMCC(Transmission & Multiplexing Configuration Control)情報」という）が用いられる。したがって、受信装置は、TLVパケットのヘッダから得られるデータ長や、TMCC情報から得られるパケットの境界（切れ目）を示す情報などを用い、パケットを抽出することになる。
【００２７】
（高度BSのパケット構成）
図２は、高度広帯域衛星デジタル放送の伝送方式のパケットの構成例を示す図である。
【００２８】
図２の高度広帯域衛星デジタル放送の伝送方式では、フレーム単位でデータが伝送されるが、各フレームは、複数のスロットから構成される。例えば、図２では、１フレームが、スロット#0〜#119により構成されている。なお、各スロットには、スロットヘッダが付加されている。
【００２９】
すなわち、図２では、誤り訂正のブロックが、スロットに対応しており、各スロット（ブロック）に、TLVパケットが配置されるが、スロットとTLVパケットの単位が一致していないため、TLVパケットが複数のスロットに跨がったり、１つのスロットに複数のTLVパケットが配置されたりすることは、先に述べた通りである。
【００３０】
そのため、受信装置では、フレームに含まれるTMCC情報や、スロットのスロットヘッダに含まれる情報、TLVパケットのパケットヘッダに含まれる情報を用いて、スロット内のTLVパケットの境界（切れ目）を特定することで、スロットから抽出されるデータを、TLVパケット単位に整形して出力する。
【００３１】
ここで、TMCC情報には、変調方式や誤り訂正符号化率等の送信信号の復号に必要な情報のほかに、TLVパケットの境界情報が含まれている。このパケット境界情報は、各スロットに配置されるTLVパケットのうち、先頭に配置されるTLVパケットと、最後に配置されるTLVパケットの位置を示す情報を含む。
【００３２】
以下の説明では、スロットの先頭に配置されるTLVパケットの位置を示す情報を、「先頭ポインタＢ１」といい、スロットの最後に配置されるTLVパケットの位置を示す情報を、「最終ポインタＢ２」という。また、TMCC情報から得られるパケット境界情報である、先頭ポインタＢ１と最終ポインタＢ２を、「TMCCポインタ情報」と総称する。
【００３３】
また、スロットのスロットヘッダには、先頭ポインタＢ３が含まれる。この先頭ポインタＢ３は、上述のTMCC情報の先頭ポインタＢ１と同様に、当該スロットに配置されるTLVパケットのうち、先頭に配置されるTLVパケットの位置を示す情報である。
【００３４】
また、TLVパケットのパケットヘッダには、同期情報、タイプ情報、及びデータ長が含まれる。このデータ長を用いることで、例えば、あるスロットで、先頭ポインタＢ１（先頭ポインタＢ３）を用いて、先頭のTLVパケットの位置が特定されれば、各TLVパケットのパケット長を累積して保持しておくことで、次のTLVパケットの位置を特定することができる。また、この累積されたパケット長を用いることで、仮に、次のスロットに跨がってTLVパケットが配置されている場合でも、次のスロットでTLVパケットの位置を特定することが可能となる。
【００３５】
以下の説明では、各TLVパケットのパケット長を累積して得られる情報を、「パケット長累積情報Ｂ４」という。また、復号処理後のデータ列から得られるパケット境界情報であって、スロットのスロットヘッダから得られる先頭ポインタＢ３と、TLVパケットのパケットヘッダから得られるパケット長累積情報Ｂ４を、「データ列情報」と総称する。
【００３６】
また、TMCCポインタ情報と、データ列情報を総称して、「TLVパケット境界情報」という。すなわち、TLVパケット境界情報は、スロット内のTLVパケットの境界（切れ目）を特定するための情報であって、TMCCポインタ情報としての先頭ポインタＢ１及び最終ポインタＢ２と、データ列情報としての先頭ポインタＢ３及びパケット長累積情報Ｂ４を含む。
【００３７】
具体的には、図２において、フレームに含まれるスロット#1に注目すれば、先頭のTLVパケットＮの位置（TLVパケットＮ−１とTLVパケットＮとの境界の位置）は、TMCCポインタ情報の先頭ポインタＢ１又はデータ列情報の先頭ポインタＢ３により特定される。なお、ここでは、TLVパケットＮ−１が１つ前のスロット#0から跨がって配置されているが、パケット長累積情報Ｂ４によっても、先頭のTLVパケットＮの位置を特定できる。
【００３８】
スロット#1において、TLVパケットＮの次には、TLVパケットＮ＋１，Ｎ＋２，Ｎ＋３が順次配置されているが、TLVパケットＮ＋１，Ｎ＋２，Ｎ＋３の位置は、パケット長累積情報Ｂ４により特定される。また、TLVパケットＮ＋３は、スロット#1とスロット#2に跨がって配置されるTLVパケットであって、スロット#1の最後に配置されるTLVパケットであるため、その位置（TLVパケットＮ＋２とTLVパケットＮ＋３との境界の位置）が、最終ポインタＢ２によっても特定される。
【００３９】
このように、受信装置では、TLVパケット境界情報（先頭ポインタＢ１、最終ポインタＢ２、先頭ポインタＢ３、又はパケット長累積情報Ｂ４）を用いて、スロット内のTLVパケットの境界（切れ目）を特定することで、スロットから抽出されるデータを、TLVパケット単位に整形して出力することができる。
【００４０】
なお、TMCCポインタ情報とデータ列情報のロバスト性を比較すると、TMCCポインタ情報のロバスト性のほうが、データ列情報よりも高くなる。したがって、通常は、より誤り耐性の高いTMCCポインタ情報を、優先的に用いることになる。
【００４１】
（高度BSのTMCC情報）
図３は、TMCC情報の対象フレームを説明する図である。
【００４２】
図３においては、伝送されるフレームを時系列で表しているが、各フレームには、TMCC情報が含まれており、受信装置は、TMCC情報に基づいて、復調処理や誤り訂正復号化処理等の復号処理を行う。ここで、TMCC情報には、大別すると２種の情報が含まれる。１つは、変調方式や誤り訂正符号化率などの復号処理（復調処理や誤り訂正復号化処理等）に必要な情報であり、もう１つは、多重化ストリームの分割に必要な情報、すなわち、TLVパケット境界情報である。
【００４３】
TMCC情報は、その情報が抽出されたフレームから数えて２フレーム後のフレームに関する情報を含んでいる。例えば、図３において、フレーム３で使用するTMCC情報は、２フレーム前のフレーム１で抽出されるTMCC情報を復号したものとなる。
【００４４】
そのため、受信装置では、TMCC情報を解析して得られる情報を、復号処理や多重化ストリームの分割処理に使用する場合に、２フレーム分の待ち時間が発生することになる。例えば、１フレームのフレーム長が、約33msである場合に、ユーザによって、高度広帯域衛星デジタル放送の受信チャネル（放送局）が切り替えられたとき、２フレーム分の約66msの待ち時間が必要となる。
【００４５】
（現状の受信装置の構成）
図４は、現状の受信装置５０の構成を示す図である。
【００４６】
図４において、受信装置５０は、チューナ部５１１、復号部５１２、可変長パケット処理部５１３、伝送制御情報解析部５１４、及びパケット情報解析部５１５から構成される。
【００４７】
チューナ部５１１は、アンテナ５０１と接続され、送信装置（不図示）から送信されてくる送信信号を受信し、復号部５１２に供給する。
【００４８】
復号部５１２は、伝送制御情報解析部５１４から供給されるTMCC解析情報に基づいて、チューナ部５１１から供給される送信信号に対し、復調処理や誤り訂正符号化処理などの復号処理を行う。
【００４９】
可変長パケット処理部５１３は、パケット情報解析部５１５から供給されるパケット分割情報に基づいて、復号部５１２から供給される多重化ストリーム（データ列）に対し、パケット処理を行う。
【００５０】
このパケット処理では、パケット分割情報（TLVパケット境界情報）を用いて、スロット内のTLVパケットの境界（切れ目）が特定され、スロットから抽出されるデータが、TLVパケット単位に整形される。パケット処理により得られるTLVパケットは、例えばデコード等の処理を行う後段処理装置５０２に出力される。
【００５１】
伝送制御情報解析部５１４は、復号部５１２による復号処理で得られるTMCC情報を解析し、その解析結果（TMCC解析情報）を、復号部５１２に供給（設定）する。また、伝送制御情報解析部５１４は、TMCC情報を解析することで得られるTMCCポインタ情報を、パケット情報解析部５１５に供給する。
【００５２】
パケット情報解析部５１５は、伝送制御情報解析部５１４から供給されるTMCCポインタ情報と、復号部５１２から出力されるデータ列から得られるデータ列情報を解析し、パケット分割情報として、可変長パケット処理部５１３に供給（設定）する。
【００５３】
（現状のパラメータ設定処理）
次に、図５のフローチャートを参照して、図４の受信装置５０により実行される、現状のパラメータ設定処理の流れについて説明する。
【００５４】
ステップＳ５１１において、伝送制御情報解析部５１４は、復号部５１２と伝送制御情報解析部５１４で、TMCC情報を取得できたかどうかを判定する。ステップＳ５１１において、TMCC情報を取得できていないと判定された場合、ステップＳ５１１の判定処理が繰り返される。そして、ステップＳ５１１において、TMCC情報を取得できたと判定された場合、処理は、ステップＳ５１２に進められる。
【００５５】
ステップＳ５１２において、伝送制御情報解析部５１４は、ステップＳ５１１の処理でTMCC情報を取得したフレームから、２フレームを経過したかどうかを判定する。ステップＳ５１２において、２フレームを経過していないと判定された場合、ステップＳ５１２の判定処理が繰り返される。そして、ステップＳ５１２において、２フレームを経過したと判定された場合、処理は、ステップＳ５１３に進められる。
【００５６】
ステップＳ５１３において、伝送制御情報解析部５１４は、復号部５１２に対し、伝送制御解析情報として、TMCC解析情報を設定する。これにより、復号部５１２では、ステップＳ５１３の処理で設定されたTMCC解析情報を用いて、復号処理が行われる。
【００５７】
ステップＳ５１４において、パケット情報解析部５１５は、可変長パケット処理部５１３に対し、パケット分割情報として、TMCCポインタ情報（先頭ポインタＢ１、最終ポインタＢ２）とデータ列情報（先頭ポインタＢ３、パケット長累積情報Ｂ４）を設定する。これにより、可変長パケット処理部５１３では、ステップＳ５１４の処理で設定されたTLVパケット境界情報を用いて、スロット内のTLVパケットの境界が特定され、当該スロット内のデータがTLVパケット単位に整形されて出力される。
【００５８】
ステップＳ５１５においては、ユーザにより受信チャネルの切り替えが行われたかどうかが判定される。ステップＳ５１５において、受信チャネルの切り替えが行われていないと判定された場合、処理は、ステップＳ５１３に戻り、上述した処理が繰り返される。一方で、ステップＳ５１５において、受信チャネルの切り替えが行われたと判定された場合、処理は、ステップＳ５１１に戻り、上述した処理が繰り返される。
【００５９】
以上、現状のパラメータ設定処理の流れについて説明した。この現状のパラメータ設定処理では、TMCC情報を利用するために、TMCC情報を取得したフレームから、２フレームを経過するまで、待たなければならない（Ｓ５１２）。そのため、このようなフレームの待ち時間をなくして、TLVパケットを出力するまでの時間を短縮するための提案が要請されていた。
【００６０】
また、受信装置５０において、TMCC情報をあらかじめ保持しておいて、受信チャネルの切り替え時には、あらかじめ保持しておいたTMCC情報をプリセット情報として用いる手法もある。例えば、上述した特許文献１において、本出願人は、TMCC情報のうち、送信信号の復号に必要な情報をプリセット情報とすることで、受信装置の立ち上がり時間を短縮する手法を提案している。
【００６１】
このような手法は、送信信号の復号に必要な情報など、１つのチャネルにおいて変化することが少ないと考えられる情報には有効であるが、上述したパケット分割情報のような、あらかじめ予測が難しい情報（フレームごとに変化する情報）を、プリセット情報として保持しておくことは困難である。
【００６２】
本技術では、このような状況を鑑み、伝送制御情報（TMCC情報）として、あらかじめ予測が難しいパケット分割情報が含まれる場合であっても、フレームの待ち時間をなくして、パケット（TLVパケット）を出力するまでの時間を短縮するための技術を提案する。以下、本技術の具体的な内容について説明する。
【００６３】
＜２．本技術の構成＞
【００６４】
（１）システム構成
【００６５】
（伝送システムの構成例）
図６は、本技術を適用した伝送システムの一実施の形態の構成を示す図である。なお、システムとは、複数の装置が論理的に集合したものをいう。
【００６６】
図６において、伝送システム１は、送信装置１０と受信装置２０から構成される。この伝送システム１では、高度広帯域衛星デジタル放送等のデジタル放送の規格に準拠したデータ伝送が行われる。
【００６７】
送信装置１０は、コンテンツ（例えば放送番組やCMなど）のビデオとオーディオのデータが多重化された多重化ストリームを処理し、送信信号として、伝送路３０を介して送信する。
【００６８】
受信装置２０は、送信装置１０から伝送路３０を介して送信されてくる送信信号を受信する。受信装置２０は、送信信号を処理して得られる多重化ストリームから、コンテンツ（例えば放送番組やCMなど）の映像と音声を再生する。
【００６９】
なお、伝送システム１において、伝送路３０は、例えば、放送衛星（BS：Broadcasting Satellite）や通信衛星（CS：Communications Satellite）を利用した衛星放送のほか、地上波放送やケーブルを用いた有線放送（CATV）などであってもよい。
【００７０】
（受信装置の構成例）
図７は、図６の受信装置２０の構成例を示す図である。
【００７１】
図７において、受信装置２０は、チューナ部２１１、復号部２１２、可変長パケット処理部２１３、伝送制御情報解析部２１４、及びパケット情報解析部２１５から構成される。
【００７２】
チューナ部２１１は、アンテナ２０１と接続され、アンテナ２０１を介して、送信装置１０から送信されてくる送信信号を受信し、復号部２１２に供給する。
【００７３】
復号部２１２は、伝送制御情報解析部２１４から供給される伝送制御解析情報に基づいて、チューナ部２１１から供給される送信信号に対し、復調処理や誤り訂正復号化処理などの復号処理を行う。この復号処理によって、フレームから、データ列とTMCC情報が復号（抽出）されて、データ列は、可変長パケット処理部２１３に供給され、TMCC情報は、伝送制御情報解析部２１４に供給される。
【００７４】
可変長パケット処理部２１３は、パケット情報解析部２１５から供給されるパケット分割情報に基づいて、復号部２１２から供給される多重化ストリーム（データ列）に対し、パケット処理を行う。このパケット処理では、パケット分割情報（TLVパケット境界情報）を用いて、スロット内のTLVパケットの境界（切れ目）が特定され、スロットから抽出されるデータが、TLVパケット単位に整形される。パケット処理により得られるTLVパケットは、例えばデコード等の処理を行う後段処理装置２０２に出力される。
【００７５】
伝送制御情報解析部２１４は、伝送制御情報を解析し、その解析結果（伝送制御解析情報）を、復号部２１２に供給（設定）する。また、伝送制御情報解析部２１４は、伝送制御解析情報を、パケット情報解析部２１５に供給する。ただし、伝送制御情報としては、復号部２１２による復号処理で得られるTMCC情報と、外部から入力されるTMCCプリセット情報とがあり、それらの情報が、伝送制御情報解析部２１４により解析される。
【００７６】
ここで、TMCCプリセット情報は、TMCC情報のうち、変調方式や誤り訂正符号化率などの復号処理（復調処理や誤り訂正復号化処理等）に必要な情報（既知の情報）のみを含んでいる。すなわち、TMCCプリセット情報には、あらかじめ予測が難しい、多重化ストリームの分割に必要となるTLVパケット境界情報は含まれない。このTMCCプリセット情報は、例えば初期スキャン処理などにより、あらかじめ受信装置２０に保持されている。
【００７７】
また、伝送制御情報解析部２１４は、復号部２１２による復号処理を監視することで、TMCC情報を取得したフレームから、２フレームを経過したかどうかの判定処理を行う。この判定処理の結果は、処理対象のフレームを判別するための判別情報として、パケット情報解析部２１５に供給される。
【００７８】
パケット情報解析部２１５は、伝送制御情報解析部２１４から供給される伝送制御解析情報（TMCCポインタ情報）と、復号部２１２から出力されるデータ列から得られるデータ列情報を解析する。パケット情報解析部２１５は、伝送制御情報解析部２１４から供給される判別情報に基づいて、可変長パケット処理部２１３に対し、パケット分割情報を供給（設定）する。
【００７９】
ここで、パケット分割情報としては、伝送制御解析情報（TMCCポインタ情報）及びデータ列情報の少なくとも一方に応じたパケット分割情報が設定される。なお、ここでは、パケット情報解析部２１５が、可変長パケット処理部２１３に対し、パケット分割情報を設定するとして説明しているが、この「設定」には、パケット情報解析部２１５が保存したパケット分割情報を、可変長パケット処理部２１３が読み出す（取得する）場合の意味も含んでいる。
【００８０】
受信装置２０は、以上のように構成される。ここで、図７の受信装置２０は、TMCC情報を取得した後、２フレームを経過したか否かに応じてその動作が異なる。そこで、次に、図８及び図９を参照して、TMCC情報を取得した後であって、２フレームを経過する前と、２フレームを経過した後の受信装置２０の構成について説明する。
【００８１】
（TMCC情報取得後、２フレーム経過前の受信装置の構成例）
まず、図８を参照して、TMCC情報を取得した後、２フレームを経過する前の受信装置２０の構成について説明する。
【００８２】
図８において、伝送制御情報解析部２１４は、伝送制御情報としてTMCCプリセット情報を解析する。そして、伝送制御情報解析部２１４は、復号部２１２に対し、伝送制御解析情報として、TMCCプリセット解析情報を設定する。これにより、復号部２１２では、伝送制御情報解析部２１４により設定されるTMCCプリセット解析情報を用いた復号処理が行われる。
【００８３】
なお、この場合において、TMCCプリセット情報には、多重化ストリームの分割に必要となるTLVパケット境界情報は含まれていないため、伝送制御情報解析部２１４から、パケット情報解析部２１５に対し、伝送制御解析情報（TMCCポインタ情報）が供給されることはない。
【００８４】
図８において、パケット情報解析部２１５は、復号部２１２から出力されるデータ列から得られるデータ列情報を解析する。そして、パケット情報解析部２１５は、可変長パケット処理部２１３に対し、パケット分割情報として、データ列情報（先頭ポインタＢ３、パケット長累積情報Ｂ４）を設定する。これにより、可変長パケット処理部２１３では、データ列情報（先頭ポインタＢ３、パケット長累積情報Ｂ４）を用いたパケット処理が行われる。
【００８５】
以上のように、受信装置２０においては、TMCC情報を取得した後であって、２フレームを経過する前となるときには、伝送制御解析情報として、TMCCプリセット解析情報が設定され、パケット分割情報として、データ列情報（先頭ポインタＢ３、パケット長累積情報Ｂ４）が設定されることになる。
【００８６】
（TMCC情報取得後、２フレーム経過後の受信装置の構成例）
次に、図９を参照して、TMCC情報を取得した後、２フレームを経過した後の受信装置２０の構成について説明する。
【００８７】
図９において、伝送制御情報解析部２１４は、伝送制御情報としてTMCC情報を解析する。そして、伝送制御情報解析部２１４は、復号部２１２に対し、伝送制御解析情報として、TMCC解析情報を設定する。これにより、復号部２１２では、伝送制御情報解析部２１４により設定されるTMCC解析情報を用いた復号処理が行われる。
【００８８】
また、伝送制御情報解析部２１４は、伝送制御解析情報としてのTMCCポインタ情報を、パケット情報解析部２１５に供給する。さらに、伝送制御情報解析部２１４は、復号部２１２による復号処理を監視することで、TMCC情報を取得したフレームから２フレームを経過したとき、その旨を通知する判別情報を、パケット情報解析部２１５に供給する。
【００８９】
図９において、パケット情報解析部２１５は、伝送制御情報解析部２１４から供給されるTMCCポインタ情報と、復号部２１２から出力されるデータ列から得られるデータ列情報を解析する。そして、パケット情報解析部２１５は、伝送制御情報解析部２１４から供給される判別情報が、TMCC情報を取得したフレームから２フレームを経過していることを示している場合、可変長パケット処理部２１３に対し、パケット分割情報として、TMCCポインタ情報（先頭ポインタＢ１、最終ポインタＢ２）とデータ列情報（先頭ポインタＢ３、パケット長累積情報Ｂ４）を設定する。
【００９０】
これにより、可変長パケット処理部２１３では、TMCCポインタ情報（先頭ポインタＢ１、最終ポインタＢ２）とデータ列情報（先頭ポインタＢ３、パケット長累積情報Ｂ４）を用いたパケット処理が行われる。
【００９１】
以上のように、受信装置２０においては、TMCC情報を取得した後であって、２フレームを経過した後となるときには、伝送制御解析情報として、TMCC解析情報が設定され、パケット分割情報として、TMCCポインタ情報（先頭ポインタＢ１、最終ポインタＢ２）とデータ列情報（先頭ポインタＢ３、パケット長累積情報Ｂ４）が設定されることになる。
【００９２】
（２）受信側の処理の流れ
【００９３】
次に、図１０乃至図１３を参照して、受信側の受信装置２０で実行される処理の流れについて説明する。
【００９４】
（本技術の受信処理）
まず、図１０のフローチャートを参照して、図６の受信装置２０により実行される、本技術の受信処理の流れについて説明する。
【００９５】
ステップＳ２０１において、チューナ部２１１は、アンテナ２０１を介して、送信装置１０から送信されてくる送信信号を受信する。
【００９６】
ステップＳ２０２において、復号部２１２は、伝送制御情報解析部２１４により設定される伝送制御解析情報に基づいて、ステップＳ２０１の処理で受信された送信信号を復号する。この復号処理では、伝送制御解析情報を用いて、復調処理や誤り訂正復号処理などの処理が行われる。
【００９７】
なお、詳細は、図１１のフローチャートを参照して後述するが、伝送制御情報解析部２１４により設定される伝送制御解析情報としては、TMCC情報を取得した後に２フレームを経過したか否かに応じて、TMCCプリセット解析情報又はTMCC解析情報が設定される。
【００９８】
ステップＳ２０３において、パケット情報解析部２１５は、パケット情報解析部２１５により設定されるパケット分割情報に基づいて、ステップＳ２０２の処理で復号された多重化ストリーム（データ列）を、TLVパケットに分割する。
【００９９】
なお、詳細は、図１１のフローチャートを参照して後述するが、パケット情報解析部２１５により設定されるパケット分割情報としては、TMCC情報を取得した後に２フレームを経過したか否かに応じて、データ列情報（先頭ポインタＢ３、パケット長累積情報Ｂ４）、又はTMCCポインタ情報（先頭ポインタＢ１、最終ポインタＢ２）とデータ列情報（先頭ポインタＢ３、パケット長累積情報Ｂ４）が設定される（動的に切り替えられる）。
【０１００】
以上、本技術の受信処理の流れについて説明した。
【０１０１】
（本技術のパラメータ設定処理）
次に、図１１のフローチャートを参照して、図６の受信装置２０により実行される、本技術のパラメータ設定処理の流れについて説明する。
【０１０２】
ステップＳ２１１において、伝送制御情報解析部２１４は、復号部２１２と伝送制御情報解析部２１４で、TMCC情報を取得後、２フレームを経過したかどうかを判定する。ステップＳ２１１において、TMCC情報を取得後、２フレームを経過していないと判定された場合、処理は、ステップＳ２１２に進められる。
【０１０３】
ステップＳ２１２において、伝送制御情報解析部２１４は、復号部２１２に対し、伝送制御解析情報として、TMCCプリセット解析情報を設定する。これにより、復号部２１２では、ステップＳ２１２の処理で設定されたTMCCプリセット解析情報を用いた復号処理が行われる（図１０のＳ２０２）。
【０１０４】
ステップＳ２１３において、パケット情報解析部２１５は、可変長パケット処理部２１３に対し、パケット分割情報として、データ列情報（先頭ポインタＢ３、パケット長累積情報Ｂ４）を設定する。これにより、可変長パケット処理部２１３では、ステップＳ２１３の処理で設定されたパケット分割情報（先頭ポインタＢ３、パケット長累積情報Ｂ４）を用いたパケット処理が行われる（図１０のＳ２０３）。
【０１０５】
ステップＳ２１３の処理が終了すると、処理は、ステップＳ２１１に進められる。ステップＳ２１１の判定処理では、再度、TMCC情報を取得後、２フレームを経過したかどうかが判定され、２フレームを経過していないと判定された場合には、ステップＳ２１２乃至Ｓ２１３の処理が繰り返される。
【０１０６】
すなわち、伝送制御情報解析部２１４とパケット情報解析部２１５によって、パラメータ設定処理が実行されることで、TMCC情報を取得した後であって、２フレームを経過するまでの間は、復号部２１２では、TMCCプリセット解析情報を用いた復号処理が行われ、可変長パケット処理部２１３では、データ列情報（先頭ポインタＢ３、パケット長累積情報Ｂ４）を用いたパケット処理が行われる。
【０１０７】
具体的には、図１２に示すように、パケット情報解析部２１５によって、処理対象のフレームにおいて、処理対象のスロットのスロットヘッダから得られる先頭ポインタＢ３と、処理対象のTLVパケットのパケットヘッダから得られるパケット長累積情報Ｂ４が可変長パケット処理部２１３に設定される。そして、可変長パケット処理部２１３は、先頭ポインタＢ３とパケット長累積情報Ｂ４を用いて、スロット内のTLVパケットの境界（切れ目）を特定することで、スロットから抽出されるデータを、TLVパケット単位に整形して出力する。
【０１０８】
図１１の説明に戻り、一方で、ステップＳ２１１乃至Ｓ２１３の処理が繰り返されることで、ステップＳ２１１において、TMCC情報を取得後、２フレームを経過したと判定された場合、処理は、ステップＳ２１４に進められる。
【０１０９】
ステップＳ２１４において、伝送制御情報解析部２１４は、復号部２１２に対し、伝送制御解析情報として、TMCC解析情報を設定する。これにより、復号部２１２では、ステップＳ２１４の処理で設定されたTMCC解析情報を用いた復号処理が行われる（図１０のＳ２０２）。
【０１１０】
ステップＳ２１５において、パケット情報解析部２１５は、可変長パケット処理部２１３に対し、パケット分割情報として、TMCCポインタ情報（先頭ポインタＢ１、最終ポインタＢ２）とデータ列情報（先頭ポインタＢ３、パケット長累積情報Ｂ４）を設定する。これにより、可変長パケット処理部２１３では、ステップＳ２１５の処理で設定されたパケット分割情報（先頭ポインタＢ１、最終ポインタＢ２、先頭ポインタＢ３、パケット長累積情報Ｂ４）を用いたパケット処理が行われる（図１０のＳ２０３）。
【０１１１】
ステップＳ２１５の処理が終了すると、処理は、ステップＳ２１６に進められる。ステップＳ２１６においては、ユーザにより受信チャネルの切り替えが行われたかどうかが判定される。ステップＳ２１６において、受信チャネルの切り替えが行われていないと判定された場合、処理は、ステップＳ２１４に戻り、上述したステップＳ２１４乃至Ｓ２１５の処理が繰り返される。
【０１１２】
すなわち、伝送制御情報解析部２１４とパケット情報解析部２１５によって、パラメータ設定処理が実行されることで、TMCC情報の取得後の２フレームを経過した後であって、チャネルの切り替えが行われるまでの間は、復号部２１２では、TMCC解析情報を用いた復号処理が行われ、可変長パケット処理部２１３では、TMCCポインタ情報（先頭ポインタＢ１、最終ポインタＢ２）とデータ列情報（先頭ポインタＢ３、パケット長累積情報Ｂ４）を用いたパケット処理が行われる。
【０１１３】
具体的には、図１３に示すように、パケット情報解析部２１５によって、２フレーム前のフレームのTMCC情報から得られたTMCCポインタ情報（先頭ポインタＢ１、最終ポインタＢ２）と、処理対象のフレームにおいて、処理対象のスロットのスロットヘッダから得られる先頭ポインタＢ３と、処理対象のTLVパケットのパケットヘッダから得られるパケット長累積情報Ｂ４が可変長パケット処理部２１３に設定される。そして、可変長パケット処理部２１３は、TMCCポインタ情報（先頭ポインタＢ１、最終ポインタＢ２）とデータ列情報（先頭ポインタＢ３、パケット長累積情報Ｂ４）を用いて、スロット内のTLVパケットの境界（切れ目）を特定することで、スロットから抽出されるデータを、TLVパケット単位に整形して出力する。
【０１１４】
図１１の説明に戻り、また、ステップＳ２１６において、受信チャネルの切り替えが行われたと判定された場合、処理は、ステップＳ２１１に戻り、上述したステップＳ２１１乃至Ｓ２１６の処理が繰り返される。すなわち、受信チャネルが、他のチャネルに切り替えられた場合には、図３に示したTMCC情報とフレームとのずれを再度調整する必要がある。そのため、この場合には、ステップＳ２１１の判定処理が再度行われ、TMCC情報を取得後、２フレームを経過する前は、ステップＳ２１２乃至Ｓ２１３の処理が行われ、その後、TMCC情報を取得後、２フレームを経過した後は、ステップＳ２１４乃至Ｓ２１５の処理が行われる。
【０１１５】
つまり、パケット情報解析部２１５は、伝送制御情報解析部２１４による伝送制御情報（TMCCプリセット情報又はTMCC情報）の解析結果からTMCCポインタ情報が得られない場合、データ列情報のみをパケット分割情報として設定し、伝送制御情報解析部２１４による伝送制御情報の解析結果からTMCCポインタ情報が得られる場合、TMCCポインタ情報をパケット分割情報として設定する。換言すれば、パケット分割情報として、データ列情報やTMCCポインタ情報が動的に切り替えられているとも言える。
【０１１６】
以上、本技術のパラメータ設定処理の流れについて説明した。この本技術のパラメータ設定処理においては、TMCC情報が取得された後、２フレームが経過する前であっても、伝送制御解析情報としてTMCCプリセット解析情報を用いた復号処理が行われるようにするとともに、パケット分割情報としてデータ列情報（先頭ポインタＢ３、パケット長累積情報Ｂ４）を用いたパケット処理（TLVパケットの境界を検出する処理）が行われるようにすることができる。
【０１１７】
そのため、上述した現状のパラメータ設定処理（図５）を適用した場合に生じていた２フレーム分のフレームの待ち時間が発生せず、TLVパケットを出力するまでの時間を短縮することができる。その結果、ユーザからすれば、受信チャネルを切り替えたときに、切り替え先の映像が迅速に表示されるため、チャネル切り替え時にストレスを感じることはない。
【０１１８】
また、本技術のパラメータ設定処理においては、TMCC情報が取得された後、２フレームが経過した後は、現状のパラメータ設定処理（図５）と同様に、伝送制御解析情報としてTMCC解析情報を用いた復号処理と、パケット分割情報としてTMCCポインタ情報及びデータ列情報を用いたパケット処理が行われる。
【０１１９】
＜３．変形例＞
【０１２０】
上述した説明としては、デジタル放送の規格として、日本の高度広帯域衛星デジタル放送の伝送方式を説明したが、本技術は、日本等が採用する方式であるISDB(Integrated Services Digital Broadcasting)の他の伝送方式、欧州の各国等が採用する方式であるDVB(Digital Video Broadcasting)や、米国等で採用されている方式であるATSC(Advanced Television Systems Committee)などの伝送方式に適用するようにしてもよい。
【０１２１】
また、デジタル放送の規格としては、放送衛星（BS)や通信衛星（CS）等を利用した衛星放送の規格のほか、地上波放送や、ケーブルテレビ（CATV）等の有線放送などの規格にも適用することができる。
【０１２２】
なお、上述した伝送制御情報（シグナリング）やパケットなどの名称は、一例であって、他の名称が用いられる場合がある。ただし、これらの名称の違いは、形式的な違いであって、対象の伝送制御情報やパケットなどの実質的な内容が異なるものではない。
【０１２３】
また、本技術は、伝送路として、放送網以外の伝送路、すなわち、例えば、インターネットや電話網等の通信回線（通信網）などを利用することを想定して規定されている所定の規格（デジタル放送の規格以外の規格）などにも適用することができる。その場合には、伝送システム１（図６）の伝送路３０として、インターネットや電話網などの通信回線が利用され、送信装置１０は、インターネット上に設けられたサーバとすることができる。そして、受信装置２０が通信機能を有するようにすることで、送信装置１０（サーバ）は、受信装置２０からの要求に応じて、処理を行うことになる。一方で、受信装置２０は、送信装置１０（サーバ）から伝送路３０（通信回線）を介して送信されてくるデータを処理する。
【０１２４】
＜４．コンピュータの構成＞
【０１２５】
上述した一連の処理は、ハードウェアにより実行することもできるし、ソフトウェアにより実行することもできる。一連の処理をソフトウェアにより実行する場合には、そのソフトウェアを構成するプログラムが、コンピュータにインストールされる。図１４は、上述した一連の処理をプログラムにより実行するコンピュータのハードウェアの構成例を示す図である。
【０１２６】
コンピュータ１０００において、CPU(Central Processing Unit)１００１、ROM(Read Only Memory)１００２、RAM(Random Access Memory)１００３は、バス１００４により相互に接続されている。バス１００４には、さらに、入出力インターフェース１００５が接続されている。入出力インターフェース１００５には、入力部１００６、出力部１００７、記録部１００８、通信部１００９、及び、ドライブ１０１０が接続されている。
【０１２７】
入力部１００６は、キーボード、マウス、マイクロフォンなどよりなる。出力部１００７は、ディスプレイ、スピーカなどよりなる。記録部１００８は、ハードディスクや不揮発性のメモリなどよりなる。通信部１００９は、ネットワークインターフェースなどよりなる。ドライブ１０１０は、磁気ディスク、光ディスク、光磁気ディスク、又は半導体メモリなどのリムーバブルメディア１０１１を駆動する。
【０１２８】
以上のように構成されるコンピュータ１０００では、CPU１００１が、ROM１００２や記録部１００８に記録されているプログラムを、入出力インターフェース１００５及びバス１００４を介して、RAM１００３にロードして実行することにより、上述した一連の処理が行われる。
【０１２９】
コンピュータ１０００（CPU１００１）が実行するプログラムは、例えば、パッケージメディア等としてのリムーバブルメディア１０１１に記録して提供することができる。また、プログラムは、ローカルエリアネットワーク、インターネット、デジタル衛星放送といった、有線又は無線の伝送媒体を介して提供することができる。
【０１３０】
コンピュータ１０００では、プログラムは、リムーバブルメディア１０１１をドライブ１０１０に装着することにより、入出力インターフェース１００５を介して、記録部１００８にインストールすることができる。また、プログラムは、有線又は無線の伝送媒体を介して、通信部１００９で受信し、記録部１００８にインストールすることができる。その他、プログラムは、ROM１００２や記録部１００８に、あらかじめインストールしておくことができる。
【０１３１】
ここで、本明細書において、コンピュータがプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。また、プログラムは、１のコンピュータ（プロセッサ）により処理されるものであってもよいし、複数のコンピュータによって分散処理されるものであってもよい。
【０１３２】
なお、本技術の実施の形態は、上述した実施の形態に限定されるものではなく、本技術の要旨を逸脱しない範囲において種々の変更が可能である。
【０１３３】
また、本技術は、以下のような構成をとることができる。
【０１３４】
（１）
複数のパケットからなる多重化ストリームを処理して得られる送信信号を受信する受信部と、
前記送信信号の伝送を制御するための伝送制御情報を解析する伝送制御情報解析部と、
前記伝送制御情報の解析結果に基づいて、前記送信信号を復号する復号部と、
前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報を設定するパケット情報解析部と、
設定された前記パケット分割情報に基づいて、前記多重化ストリームを、前記パケットに分割するパケット処理部と
を備える受信装置。
（２）
前記伝送制御情報解析部は、前記伝送制御情報のうち、前記送信信号を復号するための情報として、あらかじめ設定された既知の情報を用いる
（１）に記載の受信装置。
（３）
前記パケット情報解析部は、前記パケット分割情報として、前記伝送制御情報の解析結果から得られる前記パケットの境界情報である第１のパケット境界情報と、前記多重化ストリームの解析結果から得られる前記パケットの境界情報である第２のパケット境界情報とを動的に切り替える
（２）に記載の受信装置。
（４）
前記パケット情報解析部は、
前記伝送制御情報の解析結果から前記第１のパケット境界情報が得られない場合、前記第２のパケット境界情報のみを、前記パケット分割情報として設定し、
前記伝送制御情報の解析結果から前記第１のパケット境界情報が得られる場合、前記第１のパケット境界情報を、前記パケット分割情報として設定する
（３）に記載の受信装置。
（５）
前記パケットは、誤り訂正の単位であるブロック内に配置され、
前記ブロックは、複数集まってフレームを構成し、
前記フレームは、他のフレーム用の前記伝送制御情報を含み、
前記パケット情報解析部は、
他のフレームから取得された前記伝送制御情報を適用すべきフレームが処理対象となるまで、前記第２のパケット境界情報のみを、前記パケット分割情報として設定し、
前記他のフレームから取得された前記伝送制御情報を適用すべきフレームが処理対象となったとき、前記第１のパケット境界情報を、前記パケット分割情報として設定する
（４）に記載の受信装置。
（６）
前記第１のパケット境界情報は、前記他のフレームから取得される前記伝送制御情報に含まれ、
前記第２のパケット境界情報は、処理対象のフレームを構成する複数のブロックのヘッダ及び当該ブロック内に配置されるパケットのヘッダに含まれる
（５）に記載の受信装置。
（７）
前記第１のパケット境界情報は、前記ブロック内に配置されるパケットのうち、先頭のパケットと、最後のパケットの位置を示す情報である
（６）に記載の受信装置。
（８）
前記ブロックのヘッダに含まれる前記第２のパケット境界情報は、前記ブロック内に配置されるパケットのうち、先頭のパケットの位置を示す情報であり、
前記パケットのヘッダに含まれる前記第２のパケット境界情報は、当該パケットのデータ長である
（６）又は（７）に記載の受信装置。
（９）
前記パケットは、可変長のパケットである
（１）乃至（８）のいずれかに記載の受信装置。
（１０）
受信装置のデータ処理方法において、
前記受信装置が、
複数のパケットからなる多重化ストリームを処理して得られる送信信号を受信し、
前記送信信号の伝送を制御するための伝送制御情報を解析し、
前記伝送制御情報の解析結果に基づいて、前記送信信号を復号し、
前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報を設定し、
設定された前記パケット分割情報に基づいて、前記多重化ストリームを、前記パケットに分割する
ステップを含むデータ処理方法。
（１１）
送信装置と受信装置からなる送受信システムにおいて、
前記送信装置は、
複数のパケットからなる多重化ストリームを処理して得られる送信信号を送信する送信部を備え、
前記受信装置は、
前記送信装置から送信されてくる前記送信信号を受信する受信部と、
前記送信信号の伝送を制御するための伝送制御情報を解析する伝送制御情報解析部と、
前記伝送制御情報の解析結果に基づいて、前記送信信号を復号する復号部と、
前記送信信号を復号して得られる前記多重化ストリームを解析し、前記多重化ストリームから前記パケットを分割するためのパケット分割情報であって、前記伝送制御情報の解析結果及び前記多重化ストリームの解析結果の少なくとも一方に応じた前記パケット分割情報を設定するパケット情報解析部と、
設定された前記パケット分割情報に基づいて、前記多重化ストリームを、前記パケットに分割するパケット処理部と
を備える
送受信システム。
【符号の説明】
【０１３５】
１  伝送システム，  １０  送信装置，  ２０  受信装置，  ３０  伝送路，  ２１１  チューナ部，  ２１２  復号部，  ２１３  可変長パケット処理部，  ２１４  伝送制御情報解析部，  ２１５  パケット情報解析部，  １０００  コンピュータ，  １００１  CPU
【図１】
2017175261.tif 000003
【図２】
2017175261.tif 000004
【図３】
2017175261.tif 000005
【図４】
2017175261.tif 000006
【図５】
2017175261.tif 000007
【図６】
2017175261.tif 000008
【図７】
2017175261.tif 000009
【図８】
2017175261.tif 000010
【図９】
2017175261.tif 000011
【図１０】
2017175261.tif 000012
【図１１】
2017175261.tif 000013
【図１２】
2017175261.tif 000014
【図１３】
2017175261.tif 000015
【図１４】
2017175261.tif 000016